(57)【要約】【課題】肩甲間部や肩甲上部、後頸部等のその他身体の各部位を効果的に押圧することのできる指圧器具を提供する。【解決手段】軸方向に沿って連続した湾曲形状で山形状をなし且つ横断面における上面２６が上向きに凸の曲面をなす凸曲形状部１８を有し、左右方向に間隔を隔てて位置した、軸方向に長手形状をなす一対の曲り棒状の押圧部１２と、それら一対の押圧部１２を左右方向に連結する連結部１４とで指圧器具１０を構成する。【選択図】        図１
2012036136.tif 000002
【特許請求の範囲】
【請求項１】
(ａ)軸方向に沿って連続した湾曲形状で山形状をなす凸曲形状部を有し、該軸方向と直角方向の左右方向に間隔を隔てて位置した、横断面における上面が上向きに凸の曲面をなして該軸方向に長手形状をなす、全体又は一部が中実若しくは中空構造の一対の曲り棒状の押圧部と、
(ｂ)それら一対の押圧部を前記左右方向に連結する連結部と、
を有していることを特徴とする指圧器具。
【請求項２】
請求項１において、前記一対の押圧部の前記左右方向の間隔を調節する調節手段を更に有していることを特徴とする指圧器具。
【請求項３】
請求項１において、前記押圧部が弾性体で構成してあり、横断面の上面が凸の曲面をなす連結部の該上面に沿って該押圧部が湾曲せしめられて前記凸曲形状部が形成されているとともに、
該連結部から突出した軸端側の一対の脚部が該連結部の下側で結合材で互いに結合されることで、前記押圧部が該連結部に対して固定されるとともに該連結部を形状保持部として曲り形状に形状保持されていることを特徴とする指圧器具。
【請求項４】
請求項３において、前記押圧部は成形時の形状が前記軸方向にストレート形状をなしており、前記連結部の前記上面に沿って弾性変形を伴って強制的に曲げられることで、該上面に対応した形状の前記凸曲形状部を有する曲り形状に変形せしめられ且つ形状保持されていることを特徴とする指圧器具。
【請求項５】
請求項３，４の何れかにおいて、前記一対の押圧部の少なくとも一方は、前記連結部に沿って前記左右方向の位置が調節可能となしてあることを特徴とする指圧器具。
【請求項６】
請求項３〜５の何れかにおいて、前記押圧部における前記一対の脚部の下端を設置面に当てて使用するものとなしてあることを特徴とする指圧器具。
【請求項７】
請求項３〜６の何れかにおいて、前記押圧部は、前記連結部への接触側の面が前記左右方向に平坦形状をなしていることを特徴とする指圧器具。
【請求項８】
請求項３〜７の何れかにおいて、前記連結部は横断面丸形状の棒状をなしていることを特徴とする指圧器具。
【請求項９】
請求項８において、前記連結部は木材にて構成してあることを特徴とする指圧器具。
【請求項１０】
請求項３〜９の何れかにおいて、前記結合材は非伸縮性の紐であることを特徴とする指圧器具。
【発明の詳細な説明】
【技術分野】
【０００１】
この発明は指圧器具に関し、詳しくは主として肩凝りの除去ないし緩和のために用いて好適な指圧器具に関する。
【背景技術】
【０００２】
肩凝りは、頭や腕を支える僧帽筋（脊椎の両側から首の後部（後頸部）に到る筋肉）やその周辺の筋肉の持続的な緊張によって筋肉が硬くなり、循環障害が起って血流が悪くなり、酸素や栄養分が末端に届かずに疲労物質が蓄積し、筋肉疲労を起していわゆる「凝り」を生じるものと考えられている。通常は肩だけでなく首の凝りも伴う。
その療法として指圧師による指圧療法が効果的な療法として広く行われている。【０００３】
ここで指圧療法は、指圧師が患者の身体の局部に指（の腹）を当て、体重を乗せかけてこれを押圧する療法で、この指圧療法においては肩甲骨と脊椎との間の肩甲間部や、肩上面の肩甲骨の上に当る部分の肩甲上部、更に首筋に沿っての指圧が効果的であるとされている。【０００４】
図１８（ａ）は、非特許文献（Ｐ２３，Ｐ７２）において開示された指圧部位としての肩甲間部，後頸部（首筋の後部）を効果的な圧点（つぼ）とともに示している。この図１８（ａ）では、更に圧点（つぼ）としての肩甲上部も示している。【０００５】
図１８（ａ）において２００は肩甲骨を、２０２は肩甲骨２００と脊柱との間の肩甲間部を、２０２ａは肩甲間部２０２における圧点を示している。
また同図において２０４は後頸部を、２０４ａは後頸部２０４における圧点を示している。
更に２０６は圧点としての、肩上面の肩甲骨上部の位置の肩甲上部を示している。【０００６】
図１８（ｂ）は、同非特許文献（Ｐ４８又はＰ２２）に開示された指圧部位としての側頸部を、効果的な圧点とともに示している。
同図において２０８は側頸部を、２０８ａは側頸部における圧点を示している。
尚２１０は乳様突起を示している。【０００７】
その他に、頸椎の最上部位の第１頸椎（環椎）付近、具体的には頭骨を支える首筋の、左右の一対の乳様突起の一方から他方にかけての上部には、効果的な圧点として知られる多くの「つぼ」が存在している。
図１８（ｃ）はそのようなつぼとして下記特許文献１に開示されたものを示している。
同図において２１１は「風府」を、２１２は「あ門」を、２１４は「天柱」を、２１６は「風池」をそれぞれ示している。【０００８】
しかしながら、肩が凝ったからといっていつも或いは直ぐに指圧師による指圧療法を受けるといったことは通常難しい。
こうしたことから、従来、自分自身で指圧療法を行うことのできる指圧器具が各種提案されている。【０００９】
例えば下記特許文献１には、図１９に示すように基板３００と枕台３０２とから成る基台３０３に、上端部に滑り止め材３０４を設けて成る複数のピン状の指圧杆３０６-１，３０６-２，３０６-３を設けて、その高さを中央位置から両端にかけて高くし、また基板３００の裏側に弾性体から成る脚３０８を設けて成る指圧器具３１０が開示されている。
この指圧器具３１０は、頚椎の最上位の環椎付近の図１８（ｃ）に示すつぼ２１１，２１２，２１４，２１６等やその付近を各指圧杆３０６-１，３０６-２，３０６-３にて押圧するように使用する。【００１０】
また下記特許文献２には、図２０に示しているように仰向けに寝た際に、頸部及びその両側にあるつぼを刺激して、肩凝りや目の疲れを取る安眠枕３１２として、枕本体３１４の上面に半円形状の凹部３１６を形成するとともに、凹部３１６の両サイドに凸部３１８を形成し、その凸部３１８にて頚部の両側のつぼを刺激するようになしたものが開示されている。【００１１】
更に下記特許文献３には、図２１に示しているように仰向けに寝た姿勢で首のつぼ（風池）を垂直に押すことを可能とする首の指圧器具３１９として、本体の台座部分３２０に対して、枕部分３２２と突起軸３２４の台座部分３２６とをくの字状となして、これを支点３２８周りに回動可能となした構成のものが開示されている。【００１２】
また下記特許文献４には、図２２に示しているように基板３３０の上面に一対の角柱３３２，３３２を立設し、そして角柱３３２の上端面を滑らかな突曲面３３４に成形して、その上にクッション材としての綿３３６と覆布３３８とを設けて成る指圧器具３４０が開示されている。
この指圧器具３４０は、角柱３３２の上端部を仰向けに寝た使用者の首筋３４２の根元の下に当接させるようにして用いると、肩凝りや頭部への血行の増進に効果があるとしている。【００１３】
しかしながらこれら特許文献に開示のものは、何れも図１８（ｃ）に示す環椎付近のつぼを押圧するのを主たる目的として構成されたもので、図１８（ａ）に示す肩甲間部２０２，肩甲上部２０６，後頸部２０４及び図１８（ｂ）に示す側頸部２０８等の筋肉、或いはその他の身体の各部位を押圧するには不向きである。
【先行技術文献】
【特許文献】
【００１４】
【特許文献１】特開２００５−２２４３６９号公報
【特許文献２】特開平１１−２４４１１３号公報
【特許文献３】特開２００６−２８８９８６号公報
【特許文献４】実開平５−４４１３０号公報
【非特許文献】
【００１５】
【非特許文献１】浪越  徹、「健康のいずみ  指圧教室」、昭和５４年、Ｐ２２，Ｐ２３，Ｐ４８，Ｐ７２
【発明の概要】
【発明が解決しようとする課題】
【００１６】
本発明は以上のような事情を背景とし、肩甲間部や肩甲上部、更には後頸部、首筋上部の一方の乳様突起から他方の乳様突起にかけての部位、その他の身体の各部位を効果的に押圧することの可能な指圧器具を提供することを目的としてなされたものである。
【課題を解決するための手段】
【００１７】
而して請求項１のものは、(ａ)軸方向に沿って連続した湾曲形状で山形状をなす凸曲形状部を有し、該軸方向と直角方向の左右方向に間隔を隔てて位置した、横断面における上面が上向きに凸の曲面をなして該軸方向に長手形状をなす、全体又は一部が中実若しくは中空構造の一対の曲り棒状の押圧部と、(ｂ)それら一対の押圧部を前記左右方向に連結する連結部と、を有していることを特徴とする。【００１８】
請求項２のものは、請求項１において、前記一対の押圧部の前記左右方向の間隔を調節する調節手段を更に有していることを特徴とする。【００１９】
請求項３のものは、請求項１において、前記押圧部が弾性体で構成してあり、横断面の上面が凸の曲面をなす連結部の該上面に沿って該押圧部が湾曲せしめられて前記凸曲形状部が形成されているとともに、該連結部から突出した軸端側の一対の脚部が該連結部の下側で結合材で互いに結合されることで、前記押圧部が該連結部に対して固定されるとともに該連結部を形状保持部として曲り形状に形状保持されていることを特徴とする。【００２０】
請求項４のものは、請求項３において、前記押圧部は成形時の形状が前記軸方向にストレート形状をなしており、前記連結部の前記上面に沿って弾性変形を伴って強制的に曲げられることで、該上面に対応した形状の前記凸曲形状部を有する曲り形状に変形せしめられ且つ形状保持されていることを特徴とする。【００２１】
請求項５のものは、請求項３，４の何れかにおいて、前記一対の押圧部の少なくとも一方は、前記連結部に沿って前記左右方向の位置が調節可能となしてあることを特徴とする。【００２２】
請求項６のものは、請求項３〜５の何れかにおいて、前記押圧部における前記一対の脚部の下端を設置面に当てて使用するものとなしてあることを特徴とする。【００２３】
請求項７のものは、請求項３〜６の何れかにおいて、前記押圧部は、前記連結部への接触側の面が前記左右方向に平坦形状をなしていることを特徴とする。【００２４】
請求項８のものは、請求項３〜７の何れかにおいて、前記連結部は横断面丸形状の棒状をなしていることを特徴とする。【００２５】
請求項９のものは、請求項８において、前記連結部は木材にて構成してあることを特徴とする。【００２６】
請求項１０のものは、請求項３〜９の何れかにおいて、前記結合材は非伸縮性の紐であることを特徴とする。
【発明の作用・効果】
【００２７】
以上のように本発明は、軸方向に沿って連続した湾曲形状で山形状をなし且つ横断面における上面が上向きに凸の曲面をなす凸曲形状部を有し、左右方向に間隔を隔てて位置した、軸方向に長手形状をなす一対の曲り棒状の押圧部と、それら一対の押圧部を左右方向に連結する連結部とを含んで指圧器具を構成したものである。
【００２８】
この指圧器具は、例えば次のようにして使用することができる。
即ち、指圧器具を床等の設置面に置いて、使用者が床等の設置面に仰向けに寝、その際に指圧器具の一対の押圧部（特に凸曲形状部の頂部ないしその周辺部）を例えば使用者の背中の図１８（ａ）に示す肩甲間部２０２や肩甲上部２０６，後頸部２０４等にあてがい、その状態で使用者が押圧部に体重（厳密にはその一部）を持たせかけるようにする。
すると押圧部が使用者の肩甲間部２０２，肩甲上部２０６，後頸部２０４等を押圧し、筋肉をほぐしたり血行を良くしたりして指圧療法と同様の効果を与える。
【００２９】
尚実際の使い方としては、先ず押圧部を仰向けに寝た使用者の肩甲間部２０２にあてがい、その状態で肩甲間部２０２を押圧した後に、使用者が体をずらせたり或いは指圧器具を設置面に沿って位置をずらせることで、次に押圧部を肩甲上部２０６に当ててこれを押圧し、次いで後頸部２０４に押圧部を当て、押圧するように使用するのが好適である。
このようにすることで肩凝りの除去ないし緩和に効果の高い各部の筋肉を押圧療治することができる。
【００３０】
尚、肩甲間部２０２と２０２，肩甲上部２０６と２０６，後頸部２０４と２０４とは左右の間隔が僅かに異なっているが、曲り棒状の押圧部に左右方向の一定の幅を持たせておくことで、一対の押圧部の左右方向の間隔を一定に維持しながらも、それら肩甲間部２０２，肩甲上部２０６，後頸部２０４等の部位若しくはその近傍部位を押圧することができる（近傍部位を押圧することによっても、それなりの押圧による効果を与えることができる）。
【００３１】
本発明の指圧器具は、一対の押圧部の左右方向の間隔をある程度拡くしておくことで、図１８（ｂ）に示す側頸部２０８若しくはその近傍部位を、使用者の仰向け姿勢の下で押圧することもできる。
【００３２】
本発明では、一対の押圧部のうちの一方を用い、その押圧部が使用者に対し左右方向となる向きに設置面に設置しておくことで、その一方の押圧部にて、一対の乳様突起の一方から他方にかけての首上部に位置する、図１８（ｃ）に示す環椎付近の各種のつぼを押圧するように使用することもできる。
【００３３】
その他、本発明の指圧器具は、その形態的な特徴を利用して次のような用い方をすることができる。
即ち、本発明の指圧器具は一対の押圧部のそれぞれが連結部周りに曲り形状をなしていることから、凸曲形状部から一方の脚部側の部分を肩部の側にあてがい、凸曲形状部から他方の脚部側の部分を頸部から頭部にかけての部分にあてがい、その状態で一対の押圧部に体重を持たせかけるようにすることで、押圧部の合計４個所で同時に体重を支持させて指圧効果を生み出すことができる。
【００３４】
この場合、肩部の側については肩甲間部から肩甲上部にかけて最も気持ち良く感じる個所を探して体重を支持させ、また頸部ないし頭部の側は指圧効果の出る乳様突起周辺の最も気持ち良く感じるところを探して体重を支持させるようにする。
このとき体重配分は肩部側に多めに、頸部ないし頭部側に少なめにかけるようにすると良い。
このようにして指圧器具を用いることで、より効果的に肩凝りを除去し又は緩和することができる。
【００３５】
肩部側だけの凝りを取っただけであったり、或いは頸部側だけの凝りを取っただけであると、肩凝りが十分に除去ないし緩和した感じが得られないが、上記の用い方をすると肩部側と頸部側の凝りの両方を同時に取ることができ、肩凝りの除去ないし緩和の効果を高めることができるのである。
尚肩凝りの激しい人の場合、身体を少し横向きにして、肩部側１個所と頸部ないし頭部側１個所の合計２個所で同時に体重を支えるようにするとより高い指圧効果を生み出すことができる。
【００３６】
指圧器具を以上のようにして用いる場合において、本発明の指圧器具は、押圧部の横断面における上面が上向きの凸の曲面をなし、また押圧部全体が連結部周りに凸の曲り形状をしているため、押圧部を当てた際に気持ち良く感じるところを容易に探し当てることができる。
以上は主として肩凝りの除去ないし緩和のための指圧器具の用い方の例であるが、本発明の指圧器具は身体の様々な部位を押圧するための器具として用いることも可能である。
【００３７】
本発明では、一対の押圧部の左右方向の間隔を調節する調節手段を指圧器具に備えておくことができる（請求項２）。
この場合、一対の押圧部の左右方向の間隔を、例えば左右の肩甲間部２０２，２０２の間隔、肩甲上部２０６，２０６の間隔、後頸部２０４，２０４の間隔等に合せた適正な間隔に調節することで、それら各部位を効果的に押圧することができる。
【００３８】
本発明では上記押圧部をゴム等の弾性体で構成し、そして横断面の上面が凸の曲面をなす連結部の上面に沿って押圧部を湾曲させて連結部周りに上記凸曲形状部を形成するとともに、連結部から突出した軸端側の一対の脚部を、連結部の下側で結合材で互いに結合することで押圧部を連結部に対し固定するとともに、連結部を形状保持部として押圧部を曲り形状に形状保持するようになすことができる（請求項３）。
【００３９】
押圧部を弾性体で構成することで、押圧部を使用者の身体の各部位にあてがって体重を持たせかけたときの感触を良好となすことができ、且つその際に押圧部を幅方向に弾性変形させることで、身体の局部及びその近傍部分をある程度の幅を持って押圧することができ、押圧効果を高めることができる。
【００４０】
この場合において上記押圧部は予め最終の曲り形状に成形しておくこともできるが、かかる押圧部の成形時の形状を軸方向にストレート形状となしておき、連結部の上記の上面に沿ってこれを弾性変形を伴って強制的に曲げることで、その上面に対応した形状の上記の凸曲形状部を有する曲り形状に変形させ、且つその形状に形状保持するようになすことができる（請求項４）。
【００４１】
この請求項４によれば、連結部における横断面の上面の湾曲形状を変えることで、凸曲形状部を含む押圧部の曲り形状を様々に変えることが可能であり、またその上面の湾曲形状を所定の適正な形状としておくことで、押圧部の曲り形状を容易に適正な曲り形状となすことができる。
【００４２】
また押圧部は単にストレート形状に成形しておけば良いので、或いはストレート形状をなしている弾性体をそのまま用いて押圧部を所定の曲り形状となすことができるので、指圧器具を容易且つ安価に構成することができる。
【００４３】
これらの場合において、一対の押圧部の少なくとも一方は、上記連結部に沿って左右方向の位置を調節可能となしておくことができる（請求項５）。
このようにすれば、簡単に一対の押圧部の左右方向の間隔を所望の間隔に調整し又は変更することができる。
【００４４】
請求項３〜５の何れかの指圧器具は、押圧部における一対の脚部の下端を設置面に当てて使用するものとなしておくことができる（請求項６）。
【００４５】
この場合、押圧部は弾性体で構成してあるため、指圧器具の上に体を乗せて使用する際、脚部の下端が弾性変形した状態で設置面に密着し且つ大きな摩擦力を発生するため、使用中に指圧器具が位置ずれしてしまうのを良好に抑制でき、使い勝手良く指圧器具を使用することができる。
【００４６】
上記押圧部は、連結部への接触側の面を左右方向に平坦形状となしておくことができる（請求項７）。
このようにしておけば、押圧部が連結部への接触部で使用中に左右方向に滑って移動してしまうのを良好に抑制することができる。
【００４７】
本発明では、上記連結部を横断面丸形状の棒状となしておくことができる。即ち横断面丸形状の棒材を用いて連結部を構成することができる（請求項８）。
この場合において、その連結部は金属，プラスチック等にて構成することもできるが、請求項９に従って木材にて構成しておくのが好適である（請求項９）。
【００４８】
一方上記の結合材として非伸縮性の紐を用いることができる（請求項１０）。
結合材として非伸縮性の紐を用いることで、押圧部を容易に連結部に固定できるとともに、押圧部における一対の脚部を容易に互いに結合することができる。
結合材として伸縮性を有するゴムその他の結合材を用いた場合、押圧部に対して使用者の体重がかかる等して力が加わると、一対の脚部が拡がる方向に押圧部が変形してしまい、押圧部の形状が適正形状から変形してしまう恐れがあるが、非伸縮性の紐を用いることでこうした不都合を回避することができる。
【図面の簡単な説明】
【００４９】
【図１】本発明の一実施形態の指圧器具の斜視図である。
【図２】同指圧器具の平面図及び側面図である。
【図３】同指圧器具における押圧部の断面形状を示した図である。
【図４】同指圧器具の使用例を示した図である。
【図５】同指圧器具の他の使用例を示した図である。
【図６】同指圧器具の更に他の使用例を示した図である。
【図７】同指圧器具の更に他の使用例を示した図である。
【図８】同指圧器具の更に他の使用例を示した図である。
【図９】同指圧器具の更に他の使用例を示した図である。
【図１０】本発明の他の実施形態の指圧器具の図である。
【図１１】本発明の更に他の実施形態の指圧器具の図である。
【図１２】本発明の更に他の実施形態の指圧器具の図である。
【図１３】本発明の更に他の実施形態の指圧器具の図である。
【図１４】図１３の指圧器具における押圧部を組付前の状態で示した図である。
【図１５】本発明の更に他の実施形態の指圧器具の図である。
【図１６】本発明の更に他の実施形態の指圧器具の図である。
【図１７】図１５及び図１６に示した指圧器具の使用例を示した図である。
【図１８】指圧の圧点として従来知られたものを示した説明図である。
【図１９】従来公知の指圧器具の一例を示す図である。
【図２０】従来公知の指圧器具の他の一例を示す図である。
【図２１】従来公知の指圧器具の更に他の一例を示す図である。
【図２２】従来公知の指圧器具の更に他の一例を示す図である。
【発明を実施するための形態】
【００５０】
次に本発明の実施形態を図面に基づいて詳しく説明する。
図１及び図２において、１０は本実施形態の指圧器具で、一対の押圧部１２と、それらを図中左右方向に連結する連結部１４とを有している。
この実施形態において、連結部１４は横断面丸形状の木材にて構成されている。
ここでは連結部１４の横断面形状は、図２（Ｂ）に示しているように直径Ｄ＝φ６０ｍｍの円形をなしている。
【００５１】
一方一対の押圧部１２は、ここではゴム弾性体から成っており、その形状は組付状態で中実の曲り棒状をなしている。
またその横断面形状は、図３に示しているように概略４角形状で、連結部１４への接触面となる図中下面２２と一対の側面２４とがそれぞれ平坦面形状をなし、且つ一対の側面２４と下面２２とが互いに直角をなしている。
一方図中上面２６は半径Ｒの円弧形状をなしている。
この実施形態において、各部の寸法はＷ１＝４０ｍｍ，Ｈ１＝４０ｍｍ，Ｒ＝３０ｍｍである。
【００５２】
一対の押圧部１２は、図１に示しているようにその軸方向と直角方向の左右方向に間隔を隔てて配置されており、それぞれが連結部１４に対して結合材としての紐１６にて固定されている。
ここでゴム弾性体から成る押圧部１２は、成形時における形状が軸方向にストレート形状をなしている。
【００５３】
成形段階でそのようなストレート形状をなす一対の押圧部１２は、連結部１４の上面に沿って弾性変形を伴って強制的に曲げられ、そのことによって連結部１４の上面の円弧形状に対応した形状の凸曲形状部１８が形成されるとともに、連結部１４から突出した軸端側の各一対の脚部２０が、連結部１４の下側で上記結合材としての紐１６にて互いに結合されることで、一対の押圧部１２のそれぞれが連結部１４に固定され、また連結部１４を形状保持部として所定の曲り形状に形状保持されている。
【００５４】
ここで上記凸曲形状部１８は軸方向に沿って連続した湾曲形状で山形状をなしており、また横断面における上面２６が上向きに凸の円弧曲面をなしている。３２は、その凸曲形状部１８の頂部を示している。
また図３に示す下面２２が連結部１４に対して弾性的に接触せしめられている。
【００５５】
一対の押圧部１２は、図２（Ｂ）に示すように組付状態においてそれぞれの各脚部２０が連結部１４よりも下方に突出せしめられている。
指圧器具１０は、これら脚部２０の下端を設置面３０に当接させる状態に設置面３０に設置されて使用される。
図２（Ｂ）に示しているように、上記の紐１６は連結部１４の下端よりも上側の位置で各脚部２０に対して巻付状態に固定されており、一対の押圧部１２が原形状に戻ろうとする弾性反力に基づいて、紐１６が連結部１４の下面に押し付けられている。
【００５６】
指圧器具１０は、図２（Ｂ）に示す設置状態で高さがＨ２とされている。ここで本実施形態においてはＨ２＝１３５ｍｍとなしてあるが、９０ｍｍ〜１４０ｍｍの範囲に設定しておくことが望ましい。
また一対の脚部２０と２０とは所定の角度θをなしている。本実施形態においてはθを９０°以下の鋭角とするのが望ましく、特に７０°±１０°となすのが好適である。
【００５７】
ここで角度θは、図２（Ｂ）に示す状態から一対の脚部２０を互いに接近させる方向に押圧部１２を強制的に弾性変形させ、その状態で紐１６にて一対の脚部２０を互いに結合することでその角度を小さくすることができる。
或いは逆に一対の脚部２０を互いに離間する方向に押圧部１２を変形させ、その状態で脚部２０を紐１６で結合することでθの角度を大とすることができる。
一方指圧器具１０の押圧部１２と１２との間の図２（Ａ）に示す左右方向の間隔Ｗ２はＷ２＝１１０ｍｍである。但し間隔Ｗ２は押圧部１２を左右方向に位置移動させることで変更可能である。
【００５８】
指圧器具１０は、一対の脚部２０を紐１６で結合した状態の下で、押圧部１２に対して左右方向に強制的に力を加えることで、連結部１４との摩擦力に抗して押圧部１２をすべりを伴ってその位置を移動させることが可能である。
但しそのような移動のための力を特に加えない限り、使用状態の下で一対の押圧部１２は、連結部１４との間の強い摩擦力に基づいて位置移動してしまうのが防止される。
【００５９】
尚、押圧部１２の左右方向の位置を移動させるに際して、一対の脚部２０を互いに接近する方向に押圧部１２を弾性変形させ、その状態で押圧部１２を連結部１４に沿って左右方向に位置をずらせたり、或いは場合によって紐１６による結合を解いた上で、押圧部１２の位置を左右方向に移動させ、その状態で改めて一対の脚部２０を紐１６で結合することで、押圧部１２の位置を調節するといったことも可能である。
【００６０】
図４〜図９は、本実施形態の指圧器具１０の使用例を示している。
図４に示しているように本実施形態の指圧器具１０は、これを床面等の設置面３０に置いて使用者が設置面３０に仰向けに寝、その際に一対の押圧部１２（特に凸曲形状部１８の頂部３２ないし周辺部）を肩甲間部２０２，２０２にあてがい、その状態で使用者が押圧部１２に体重（具体的にはその一部）を持たせ掛けるようにする。
【００６１】
すると押圧部１２、特に凸曲形状部１８の頂部３２とその周辺部が使用者の肩甲間部２０２を押圧し、筋肉を解したり血行を良くしたりして指圧療法と同様の効果を与える。
このとき、一対の押圧部１２のそれぞれは左右方向に所定の幅Ｗ１を有しているため、肩甲間部２０２における圧点２０２ａだけでなく、その幅Ｗ１に応じた図中左右方向の周辺部をも押圧することができる。
【００６２】
尚押圧部１２にて肩甲間部２０２を押圧する際、使用者が肩甲間部２０２を凸曲形状部１８に対して図４中上下方向に位置をずらせ、或いは指圧器具１０の凸曲形状部１８を肩甲間部２０２に沿って位置をずらせることで、肩甲間部２０２の各圧点２０２ａを凸曲形状部ないし周辺部にて順次押圧して行くことができる。
【００６３】
図５は他の使用例を示したもので、この使用例では、一対の押圧部１２，１２の凸曲形状部１８の頂部３２ないしその周辺部を肩甲上部２０６付近にあてがい、その状態で仰向け姿勢に寝た使用者がその部分に体重の一部を持たせ掛けるようにすることで、押圧部１２にて肩甲上部２０６付近を押圧することができる。
【００６４】
図６は更に他の使用例を示している。
この使用例では、一対の押圧部１２を仰向け姿勢で寝た使用者の後頸部２０４にあてがい、その状態で使用者が体重の一部を持たせ掛けるようにすることで、押圧部１２にて後頸部２０４を押圧することができる。
【００６５】
尚この図６の使用例においても、使用者が後頸部２０４を凸曲形状部１８の頂部３２に対して位置を図中上下方向にずらせ、或いは指圧器具１０の凸曲形状部１８を後頸部２０４に沿って順次位置を図中上下方向にずらせることで、後頸部２０４の各圧点２０４ａを順次押圧して行くようになすことができる。
【００６６】
尚、使用例図４〜６では一対の押圧部１２の左右方向の間隔は一定であり、従って図４の使用例で肩甲間部２０２を押圧した後、次に使用者が身体をずらせ或いは指圧器具１０の位置をずらせることで、図５に示す使用例に従って肩甲上部２０６近くを押圧し、更に続いて使用例６に従って後頸部２０４を押圧するといった順番（或いはその逆の順番）で、身体各部を押圧するようになすことができる。
但し必要に応じて、その間に一対の押圧部１２と１２との左右方向の間隔を目的とする押圧部位に合せて位置調節するといったことも勿論可能である。
【００６７】
図５の使用例では、一対の押圧部１２の左右方向の間隔が、肩甲上部２０６，２０６の間の間隔よりも若干狭く、そのような場合でも押圧部１２にて肩甲上部２０６付近を押圧することで一定の押圧効果を与えることができるが、図７の使用例に示すように一対の押圧部１２と１２との間の左右方向の間隔を拡げ、即ち肩甲上部２０６と２０６との間隔に合せて一対の押圧部１２，１２の間隔を調節し、その状態で押圧部１２（特に凸曲形状部１８の頂部３２ないし周辺部）によって肩甲上部２０６を押圧するようになすこともできる。
【００６８】
また、一対の押圧部１２と１２との間の左右方向の間隔を、図１８（ｂ）に示す側頸部２０８の間隔（左側の側頸部２０８と右側の側頸部２０８との間の間隔）に合せて位置調節し、その状態で使用者が仰向けに寝ることで、押圧部１２にて側頸部２０８ないしその付近を押圧することができる。
【００６９】
或いはその状態から使用者が寝姿勢を横向きとすることで、左右の側頸部２０８の一方を、一対の押圧部１２の一方の上に乗せ、押圧部１２にて側頸部２０８を上向きに押圧するように使用することもできる。
【００７０】
図９は、指圧器具１０の更に他の使用例を示している。
この例は、一対の乳様突起の一方と他方との間に位置している首上部に沿った各つぼ、即ち図１８（ｃ）の風池２１６，天柱２１４，あ門２１２，風府２１１等の各つぼを押圧する際の使用例で、このときには図９（Ｂ）に示しているように押圧部１２がそれらつぼに沿って位置するように、指圧器具１０の向きを上記使用例とは９０°異ならせ、その状態で押圧部１２を首上部にあてがって押圧するように使用する。
【００７１】
このとき、図１８（ｃ）中の左右の一方の風池２１６から他方の風池２１６にかけて各つぼを順次に押圧するように、使用者が仰向けの寝姿勢から横向きの寝姿勢になるように首を回転させ、位置移動させることで、各つぼに対して順次に凸曲形状部１８の頂部３２ないし周辺部で各つぼを押圧するようになすことができる。
【００７２】
その他、本実施形態の指圧器具１０は、その形態的な特徴を利用して図８（Ａ）に示すような用い方をすることができる。
即ち、指圧器具１０は一対の押圧部１２のそれぞれが連結部１４周りに曲り形状をなしていることから、凸曲形状部１８から一方の脚部２０側の部分を肩部の側にあてがい、凸曲形状部１８から他方の脚部２０側の部分を頸部から頭部にかけての部分にあてがい、その状態で一対の押圧部１２に体重を持たせかけるようにすることで、押圧部１２の合計４個所で同時に体重を支持させて指圧効果を生み出すことができる。
【００７３】
この場合、肩部の側については肩甲間部から肩甲上部にかけて最も気持ち良く感じる個所を探して体重を支持させ、また頸部ないし頭部の側は指圧効果の出る乳様突起周辺の最も気持ち良く感じるところを探して体重を支持させるようにする。
このとき体重配分は肩部側に多めに、頸部ないし頭部側に少なめにかけるようにすると良い。
このようにして指圧器具１０を用いることで、より効果的に肩凝りを除去し又は緩和することができる。
【００７４】
肩部側だけの凝りを取っただけであったり、或いは頸部側だけの凝りを取っただけであると、肩凝りが十分に除去ないし緩和した感じが得られないが、上記の用い方をすると肩部側と頸部側の凝りの両方を同時に取ることができ、肩凝りの除去ないし緩和の効果を高めることができるのである。
尚肩凝りの激しい人の場合、図８（Ｂ）に示すように身体を少し横向きにして、肩部側１個所と頸部ないし頭部側１個所の合計２個所で同時に体重を支えるようにするとより高い指圧効果を生み出すことができる。
【００７５】
指圧器具１０を以上のようにして用いる場合において、指圧器具１０は、押圧部１２の横断面における上面が上向きの凸の曲面をなし、また押圧部１２全体が連結部１４周りに凸の曲り形状をしているため、押圧部１２を当てた際に気持ち良く感じるところを容易に探し当てることができる。
【００７６】
図１０は他の実施形態を示している。
（Ａ）の例は、押圧部１２を全体が中実構造をなす断面円形のゴム弾性体にて構成した例である。尚他の点については基本的に上記実施形態の指圧器具１０と同様である。
尚、押圧部１２を図１０（Ｂ）に示すように中空の断面円形の（即ち円形リング状の）ゴム弾性体を用いて構成するといったことも可能である。
この場合には断面の中間部に補強糸層３４を設けたものを用いるのが好ましい。
【００７７】
図１１は、本発明の更に他の実施形態を示している。
この例は、押圧部１２を全体が中空の曲り棒状の硬質の樹脂製のパイプを用いて構成した例である。
尚樹脂以外の他の硬質の材料を用いて押圧部１２を構成することも可能である。
また押圧部１２の外表面には弾性材を被覆形成しておくこともできる。
更に一対の脚部２０の下端にはゴム等の弾性キャップを装着しておくこともできる。
【００７８】
この実施形態では、各押圧部１２のそれぞれの脚部２０からアーム３６を延び出させ、それらを止ねじ３８で締結することで連結部１４を構成している。
ここで一方のアーム３６には長穴４０が、また他方のアーム３６には円形の雌ねじ孔４２が設けられ、止ねじ３８に対して長穴４０を図中左右方向に相対移動させることで、一対の押圧部１２，１２の左右方向の間隔を調整可能となしている。
即ちここでは長穴４０と雌ねじ孔４２及び止ねじ３８によって位置調節手段が構成されている。
【００７９】
図１２は、本発明の更に他の実施形態を示している。
この例は、紐１６に代えて図１２（Ｂ）に示すような予め両端部を縫い合わせた所定周長の可撓性を有する（できれば非伸縮性の）環状帯４４を用いて、一対の押圧部１２のそれぞれを結合するとともに連結部１４に固定するようになした例である。
この例では、連結部１４の上面に沿って弾性変形を伴って強制的に曲げられた押圧部１２の両端部の側から一対の脚部２０の外周に環状帯４４を装着すれば、図１２（Ａ）に示すように押圧部１２を所定の曲り形状で保持しつつ連結部１４に固定することが出来るため、押圧部の固定作業が容易となる。
【００８０】
図１３及び図１４は、本発明の更に他の実施形態を示している。
この例では、連結部１４が横断面円形の丸棒状の木材で構成され、また一対の押圧部１２がゴム弾性体で構成されており、この点で図１〜図３に示す第１の実施形態と同様である。
但しここでは押圧部１２として、横断面形状が半円形状をなすゴム弾性体が用いられており、そしてこの押圧部１２に、同じく横断面形状が半円形状をなす中空部５０が軸方向に所定長に亘って設けられている。
ここで押圧部１２は、図１４に示しているように成形時における形状が軸方向にストレート形状をなしており、図１３に示すように連結部１４への組付けによって所定の曲り形状とされている。
【００８１】
その成形時の形状において押圧部１２の中空部５０は、押圧部１２の全長Ｌ１（＝２５０ｍｍ）から両端側の中実部分の長さＬ２（＝６０ｍｍ）とＬ３（＝３０ｍｍ）とを差し引いた長さＬ１−（Ｌ２＋Ｌ３）が１６０ｍｍとされており、また中空部５０を設けた部分において押圧部１２の肉厚ｔ＝５〜７ｍｍとされている。
尚、押圧部１２の横断面の半円形状は半径Ｒ＝２５ｍｍの大きさであり、また連結部１４の直径Ｄ＝６４ｍｍである。
【００８２】
図１３の組付状態において、押圧部１２は、中空部５０の位置する個所において、特に頂部３２及びその周辺部において、ゴム弾性体が扁平形状に弾性変形することによって幅広形状をなしている。
ここでは脚部２０-１，２０-２の幅寸法Ｗ１＝５０ｍｍに対して、頂部３２の幅Ｗ３が７０ｍｍである。
尚、寸法関係を除いた他の構成については図１〜図３に示す第１の実施形態と基本的に同様である。
【００８３】
この例の指圧器具１０もまた、図１〜図９に示す指圧器具１０と同様に肩凝りの除去ないし緩和のための器具として好適に用いることができる。
特にこの実施形態の指圧器具１０の場合、図８（Ａ）に示すようにしてこれを使用する際、長さＬ２を有する中実構造の脚部２０-１の側を肩部の側にあてがい、また中空部５０の設けてある部分を頸部にあてがうようにして使用することで、脚部２０-１の側の硬い部分で肩部を押圧できる一方、中空部５０の位置する部分で頸部を軟らかく押圧することができる。
またその際、この実施形態では中空部５０を設けることによって頂部３２及びその周辺部が幅広形状をなしているため、頸部を頸周りに幅広い範囲に亘って押圧することができる。
更に脚部２０-１，２０-２の軸方向端部の中実部分で使用者の重みをしっかりと支えることができる。
【００８４】
図１５は本発明の更に他の実施形態を示している。
この例もまた連結部１４が断面円形の丸棒状の木材から成り、またそこにゴム弾性体から成る一対の押圧部１２が組み付けられて、全体の指圧器具１０が構成されている点で図１〜図３に示す実施形態と同様である。
【００８５】
この例において、押圧部１２は成形時の形状が軸方向にストレート形状をなしており、またその横断面形状が半円形状をなしている点で、図１３及び図１４に示す実施形態と同様である。
但しこの図１５に示す実施形態では、押圧部１２が部分的な中空構造とされておらず、その全体が中実構造とされている。
この実施形態では、押圧部１２の横断面形状が半径Ｒ＝４０ｍｍの大きな半円形状とされ、その幅Ｗ１が８０ｍｍと広幅とされている。
また連結部１４の太さが直径Ｄ＝４０ｍｍとされ、更に押圧部１２の曲り角度θ＝約１５０°と広角度とされている。
尚、寸法関係を除いた他の実施形態については図１〜図３に示す実施形態と基本的に同様である。
【００８６】
この例の指圧器具１０は、肩凝り用としても使用可能であるが、特に押圧部１２を図１７（Ａ）に示しているように使用者の背筋にあてがい、使用者の体重を利用して背筋を押圧することで背筋の凝りを解したり、或いは背筋を鍛えたりする等の目的で特に好適に使用可能である。
【００８７】
尚、図１７（Ａ）では使用者が仰向けとなって、使用者の背筋に指圧器具１０を上向きにあてがうようにして使用しているが、使用者が横向き姿勢となって、２つある押圧部１２のうちの一方を背筋に対して横向きにあてがい、また今一方の押圧部１２を腹部にあてがうことによって、それら背筋の横側部と腹筋とを併せて押圧するように用いることも可能である。
更には使用者がうつ伏せの姿勢となって、下腹部に一対の押圧部１２をあてがい、指圧器具１０によって下腹部を上向きに押圧するように用いることも可能である。このようにすれば、大腸や直腸をゆっくり揺り動かすことにより便秘を取り除く効果がある。
【００８８】
図１６は本発明の更に他の実施形態を示している。
この例においてもまた、連結部１４が横断面円形状の丸棒状をなす木材にて構成され、また一対の押圧部１２がゴム弾性体から成っている点で、図１〜図３に示す実施形態のものと同様である。
この図１６に示す実施形態では、押圧部１２が横断面半円形状をなしている点で、図１３〜図１４に示す実施形態及び図１５に示す実施形態と同様であるが、ここでは押圧部１２が全長に亘り中空構造とされている。
【００８９】
具体的には、押圧部１２は成形時の自由形状において横断面の外周形状が半径Ｒ１（＝４０ｍｍ）の半円形状とされ、また内周形状が半径Ｒ２（＝２５ｍｍ）の半円形状とされている。
尚、全体の長さＬ１＝２００ｍｍ，横断面の幅Ｗ１＝８０ｍｍ、図１６（Ｂ）に示す組付形状で押圧部１２の曲り角度θ＝９０〜１２０°とされている。
尚、寸法関係を除く他の構成については基本的に図１〜図３に示す実施形態と同様である。
【００９０】
この例の指圧器具１０もまた肩凝り用等として用いることも可能であるが、この例の指圧器具１０は特に臀筋の押圧用として好適に用いることができる。
具体的には、図１７（Ｂ）に示すように使用者が仰向けとなって指圧器具１０の凸曲形状部１８を臀筋にあてがうようにし、使用者の体重の一部を指圧器具１０に掛けることで、指圧器具１０にて臀筋を下側から上向きに押圧し、臀筋を鍛え又は解すように使用することができる。
【００９１】
尚、図１５に示す指圧器具１０と、図１６に示す指圧器具１０との両方を用い、そして図１５の一方の指圧器具１０にて図１７（Ａ）に示すように使用者の背筋を押圧し、また同時に図１６の他方の指圧器具１０を用いて図１７（Ｂ）に示すように使用者の臀筋を押圧するように、両者を併用するのも好適な用い方である。
【００９２】
以上は指圧器具の一例で、本発明の指圧器具は他の形態で構成することも可能である。
また上例以外の様々な用い方で指圧器具１０を用い、身体の各部を押圧するようになすことができる。
【符号の説明】
【００９３】
１０  指圧器具
１２  押圧部
１４  連結部
１６  紐（結合材）
１８  凸曲形状部
２０  脚部
２６  上面
【図１】
2012036136.tif 000003
【図２】
2012036136.tif 000004
【図３】
2012036136.tif 000005
【図４】
2012036136.tif 000006
【図５】
2012036136.tif 000007
【図６】
2012036136.tif 000008
【図７】
2012036136.tif 000009
【図８】
2012036136.tif 000010
【図９】
2012036136.tif 000011
【図１０】
2012036136.tif 000012
【図１１】
2012036136.tif 000013
【図１２】
2012036136.tif 000014
【図１３】
2012036136.tif 000015
【図１４】
2012036136.tif 000016
【図１５】
2012036136.tif 000017
【図１６】
2012036136.tif 000018
【図１７】
2012036136.tif 000019
【図１８】
2012036136.tif 000020
【図１９】
2012036136.tif 000021
【図２０】
2012036136.tif 000022
【図２１】
2012036136.tif 000023
【図２２】
2012036136.tif 000024
【国際調査報告】
2012036136.tif 000025
2012036136.tif 000026
2012036136.tif 000027
2012036136.tif 000028